【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
シャッターを巻き取る中心軸となるシャフトと、
互いに離間して配置され、前記シャフトに対して回転可能に設けられた２つのプーリと、
前記２つのプーリを連結し、伸縮可能なリンク棒と、を備え、
前記リンク棒が、該リンク棒の伸縮に伴い前記シャフト上に潤滑剤を滴下するポンプ部を有するシャッター巻取装置。
【請求項２】
請求項１記載のシャッター巻取装置において、
前記リンク棒が、互いに摺動可能な内筒及び外筒を有し、
前記ポンプ部が、前記内筒に接続され前記外筒の内部を長手方向に摺動し、前記潤滑剤を押し出すピストンを有するシャッター巻取装置。
【請求項３】
請求項１記載のシャッター巻取装置において、
前記リンク棒が、互いに摺動可能な内筒及び外筒を有し、
前記ポンプ部が、前記内筒に接続され前記外筒の内部を長手方向に摺動し、前記リンク棒の一端部から前記潤滑剤を押し出す第１のピストンと、
前記外筒に接続され前記内筒の内部を長手方向に摺動し、前記リンク棒の他端部から前記潤滑剤を押し出す第２のピストンと、を有するシャッター巻取装置。
【請求項４】
シャッターと、
前記シャッターを巻き取る中心軸となるシャフトと、
互いに離間して配置され、前記シャフトに対して回転可能に設けられた２つのプーリと、
前記２つのプーリを連結し、伸縮可能なリンク棒と、を備え、
前記リンク棒が、該リンク棒の伸縮に伴い前記シャフト上に潤滑剤を滴下するポンプ部を有するシャッター装置。
【手続補正２】
【補正対象書類名】明細書
【補正対象項目名】全文
【補正方法】変更
【補正の内容】
【発明の詳細な説明】
【発明の名称】シャッター巻取装置及びシャッター装置
【技術分野】
【０００１】
本発明は、シャッター巻取装置及びシャッター装置に関する。
【背景技術】
【０００２】
以下、背景技術について説明する。図５は、従来の実施形態を示すシャッター巻取繰出装置に係るプーリの摺動に関する説明図であり、（ａ）は後記する図４の（ｂ）に示すＤ部に相当する拡大詳細図、（ｂ）は（ａ）に示すプーリが摺動した様子を示す説明図、及び（ｃ）はリンク棒の一部を示す説明図である。
図５の（ａ）（ｂ）に示すように、シャッター１０２の巻き取り及び繰り出しのいずれかを行う際に、シャッター１０２を巻取・繰出する中心軸であるシャフト１０３に嵌着されて、このシャフト１０３に対して回転自在に設けられたシャフト１０３の両端のプーリ１０４、１０４と、これらのプーリ１０４、１０４の回転を互いに追随及び同期させるように、２つのプーリ１０４、１０４間に掛け渡されたリンク棒１０５と、プーリ１０４、１０４がシャフト１０３の軸方向へ摺動するのを阻止するようにシャフト１０３に固定されたストッパー１０６と、このストッパー１０６の移動を阻止するようにシャフト１０３に固定されているストッパーピン１０９と、この一方のストッパー１０６と一方のプーリ１０４との間のシャフト１０３の周面上に設けられたプーリ摺動領域１０３ａとを備えている。
【０００３】
さらに、シャフト１０３には圧縮コイル式のスプリング１０７が伸縮自在に挿通されている。このスプリング１０７の一端はシャフト１０３に固定され、他端はプーリ１０４の端部に当接している。プーリ１０４のスプリング１０７側とは反対側にダンパー１０８としてのバネが挿通されている。このダンパー１０８の一方はプーリ１０４に当接し、他方はストッパー１０６に当接している。つまり、ダンパー１０８は、プーリ１０４とストッパー１０６との間で、それらの間隔を維持するように付勢している。これによって、スプリング１０７が引き伸ばされてプーリ１０４がダンパー１０８側に摺動して来ると、それを押し戻すようにダンパー１０８が働く。
【０００４】
プーリ１０４には係止板１１３が取り付けられている。この係止板１１３はプーリ１０４の外周のほぼ４分の１を覆うように外周に沿って固定されており、一端付近がボルトで固定され、他端にはフックが設けられ、スラット１０２ａを吊り下げている。これによって、シャッターの巻き取り、及び繰り出しと同期して係止板１１３はプーリ１０４と一緒に正逆回転する。また、プーリ１０４のスプリング１０７側には、グリスカップ１１４が設けられている。このグリスカップ１１４には潤滑用のグリス１１４ａが適量に充填されており、プーリ１０４とシャフト１０３との回転部を潤滑している。
【０００５】
また、図５の（ｃ）に示すように、リンク棒１０５は、互いに摺動可能な内筒１０５ａと外筒１０５ｂを備え、長手方向へ伸縮可能に形成されている。また、内筒１０５ａと外筒１０５ｂとは互いに摺動するスライド機構を形成している。外筒１０５ｂにはグリス注入孔１０５ｃが設けられている。このグリス注入口１０５ｃから適宜、グリスが注入されてリンク棒１０５内に貯められたグリスが、リンク棒１０５の内筒１０５ａと外筒１０５ｂの摺動動作によって、シャフト１０３上に滴下され、しばらくは、シャフト１０３に油膜を保つことができる。
【０００６】
プーリ１０４はシャフト１０３に回転自在に挿通されている。中心軸孔１０４ｂはプーリ１０４の取り付け孔である。このプーリ１０４には係止板１１３がプーリ１０４の円周面上に固定されている。係止板１１３の一端がボルトによって固定され、スラット１０２ａが設けられている。シャッターが巻き取りまたは操り出し動作されると、それに連れてプーリ１０４が回転する。このプーリ１０４はシャフト１０３の両端部に２個設けられており、これらプーリ１０４、１０４にはリンク棒支持孔１０４ａ、１０４ａが設けられている。このリンク棒支持孔１０４ａ、１０４ａにリンク棒１０５が掛け渡されており、回転動作を互いに追随及び同期させる。
【０００７】
プーリ１０４に負荷が掛かる前は、スプリング１０７やダンパー１０８の弾性力は、プーリ１０４の左右で自然長の状態である。それが、スラット１０２ａが巻き取り方向または繰り出し方向へ回動すると、従来、プーリ１０４はストッパー１０６でシャフト軸方向の移動が規制されているのでシャフト１０３上を摺動することができずに、シャフト１０３はプーリ１０４による摩擦を繰り返し受けて破損に至ることがあった。しかしながら、プーリ摺動領域１０３ａを設けたことによって、プーリ１０４が図中左方向、すなわち矢印方向へ移動することができ、シャフト１０３の同じ箇所が摩耗することなく、摺動することで潤滑グリスも効果的に油膜を形成するため、シャフト１０３が破損に至ることがなくなった（特許文献１参照）。
【先行技術文献】
【特許文献】
【０００８】
【特許文献１】特開２０１４―１３２１３８号公報
【発明の概要】
【発明が解決しようとする課題】
【０００９】
従来、シャッターの開閉時に、シャッター軸であるシャフトが摺動摩耗で折損することがあった。取り替えにあたってはシャッターケース納まりであれば取り換え工事は簡単であるが、店舗や天井納まりになると多大な出費になる場合が多く、部品代（シャフト一式）他、木工、クロス、モルタル、及び電気工事など、取り替えに際し障害となる工事も発生する。今迄、シャッターの巻取体のシャフトに油を注すことは、一般のユーザが行なうことは非常に困難であった。しかし、巻き取り部分のプーリにグリスをほんの一滴注すだけで回転摺動摩耗に対し劇的な改善が見られることが多い。
また、錆なども含め経年変化を生じて大きく湾曲したスプリングをさらに強制的に巻くと、動きそのものがぎこちなく、また、シャッター巻取繰出装置の寿命を著しく縮めるものであった。
【００１０】
本願発明は、高寿命なシャッター巻取装置及びシャッター装置を提供することを目的とする。
【課題を解決するための手段】
【００１１】
請求項１に記載の発明は、シャッターを巻き取る中心軸となるシャフトと、互いに離間して配置され、前記シャフトに対して回転可能に設けられた２つのプーリと、前記２つのプーリを連結し、伸縮可能なリンク棒と、を備え、前記リンク棒が、該リンク棒の伸縮に伴い前記シャフト上に潤滑剤を滴下するポンプ部を有するシャッター巻取装置である。
【００１２】
請求項２に記載の発明は、請求項１に記載のシャッター巻取装置であって、前記リンク棒が、互いに摺動可能な内筒及び外筒を有し、前記ポンプ部が、前記内筒に接続され前記外筒の内部を長手方向に摺動し、前記潤滑剤を押し出すピストンを有する。
【００１３】
請求項３に記載の発明は、請求項１に記載のシャッター巻取装置であって、前記リンク棒が、互いに摺動可能な内筒及び外筒を有し、前記ポンプ部が、前記内筒に接続され前記外筒の内部を長手方向に摺動し、前記リンク棒の一端部から前記潤滑剤を押し出す第１のピストンと、前記外筒に接続され前記内筒の内部を長手方向に摺動し、前記リンク棒の他端部から前記潤滑剤を押し出す第２のピストンと、を有する。
【００１４】
請求項４に記載の発明は、シャッターと、前記シャッターを巻き取る中心軸となるシャフトと、互いに離間して配置され、前記シャフトに対して回転可能に設けられた２つのプーリと、前記２つのプーリを連結し、伸縮可能なリンク棒と、を備え、前記リンク棒が、該リンク棒の伸縮に伴い前記シャフト上に潤滑剤を滴下するポンプ部を有するシャッター装置である。
【発明の効果】
【００１５】
本発明によれば、高寿命なシャッター巻取装置及びシャッター装置を提供することができる。
【図面の簡単な説明】
【００１６】
【図１】本発明の第１の実施形態に示すシャッター巻取繰出装置に係るリンク棒の概略図であり、（ａ）は斜視図、（ｂ）は（ａ）に示すＡ部の拡大断面図である。
【図２】本発明の第１の実施形態に示すシャッター巻取繰出装置に係るプーリ、リンク棒及びその周辺を示す概略図であり、（ａ）は正面断面図、（ｂ）は（ａ）に示すＢ部の拡大断面図である。
【図３】本発明の第２の実施形態に示すシャッター巻取繰出装置に係るリンク棒の概略図であり、（ａ）はリンク棒の概略断面図、（ｂ）は（ａ）に示すリンク棒の構造を詳細に示す拡大断面図である。
【図４】本発明の第２の実施形態に示すシャッター巻取繰出装置に係るプーリ、リンク棒及びその周辺を示す概略図であり、（ａ）は正面断面図、（ｂ）は（ａ）に示すＣ部の拡大断面図である。
【図５】従来の実施形態を示すシャッター巻取繰出装置に係るプーリ摺動領域を説明する説明図であり、（ａ）は図４の（ｂ）に示すＤ部に相当する拡大詳細図、（ｂ）は（ａ）に示すプーリが摺動した様子を示す説明図、及び（ｃ）はリンク棒の正面図である。
【発明を実施するための形態】
【００１７】
＜第１の実施形態＞
以下、本発明の第１の実施形態を図面を参照しながら詳細に説明する。
図１は、本発明の第１の実施形態に示すシャッター巻取繰出装置に係るリンク棒の概略図であり、（ａ）は斜視図、（ｂ）は（ａ）に示すＡ部の拡大断面図である。
図２は、本発明の第１の実施形態に示すシャッター巻取繰出装置に係るプーリ、リンク棒及びその周辺を示す概略図であり、（ａ）は正面断面図、（ｂ）は（ａ）に示すＢ部の拡大断面図である。
図１の（ａ）（ｂ）及び図２の（ａ）（ｂ）に示すように、シャッター巻取繰出装置１は、シャッター２の巻き取り及び繰り出しのいずれかを行う際に、シャッター２を巻き取り、繰り出しする中心軸であるシャフト３に嵌着されて、互いに離間して配置され、シャフト３に対して回転自在に設けられた２つのプーリ４、４と、これら２つのプーリ４、４の回転を互いに追随及び同期させるように、２つのプーリ４、４間に掛け渡された１本のリンク棒５とを備えたシャッター巻取繰出装置１において、リンク棒５は、互いに摺動可能な内筒５ａと外筒５ｂを備え、長手方向へ伸縮可能に形成されたリンク棒であり、リンク棒５の両端の端部５ｃ、５ｃに嵌設されたグリスキャップ５ｆ、５ｇと、リンク棒５が長手方向に伸縮するときにリンク棒５の内部の空気を押し出すポンプ構造７とを備え、リンク棒５が伸縮することでグリスキャップ５ｆ、５ｇからグリスｄが押し出されてシャフト３上にグリスｄが滴下される。
なお、２つのプーリ４、４及び１本のリンク棒５は、３つのプーリ４、４、４及び２〜３本のリンク棒５、５、５など、さらに適宜、増やしても構わない。
【００１８】
また、シャッター巻取繰出装置１のポンプ構造７は、外筒５ｂの内部に固定されて外筒５ｂの内部を長手方向に遮断して、リンク棒５の中心軸ｂ上に貫通孔５ｂａａを有する円盤状部材５ｂａと、外筒５ｂの内部を長手方向に摺動するピストン５ａｄと、ピストン５ａｄを貫通孔５ｂａａを挿通して内筒５ａの外筒５ｂ側の閉鎖された端部５ａｆに接続する接続部材５ａｃとを備えている。
【００１９】
このように、シャッター２の巻き取りや繰り出しを行う際に、リンク棒５の両端部を覆って嵌められた交換自在なグリスキャップ５ｆ、５ｇと、リンク棒５が長手方向に伸縮するときにリンク棒５の内部の空気を押し出すポンプ構造７を備えたことによって、リンク棒５が伸縮するとグリスキャップ５ｆ、５ｇからグリスｄが押し出されて、シャフト３上にグリスｄが滴下され、プーリ摺動領域及びその周辺のダンパーやバネの摺動領域にグリスが万遍なく刷り込まれるため、シャッター２のシャフト３の摩耗を防止し、耐用年数をさらに延ばした高寿命なシャッター巻取繰出装置１を提供することができる。
【００２０】
また、ポンプ構造７は、外筒５ｂの内部に固定されて外筒５ｂの内部を長手方向に遮断して、中心に貫通孔５ｂａａを有する円盤状部材５ｂａと、外筒５ｂの内部にあって外筒５ｂの内部を長手方向に摺動するピストンを円盤状部材５ｂａに接続する支柱としての接続部材５ａｃを備えたことによって、リンク棒５が伸縮するとグリスキャップ５ｆ、５ｇからグリスｄが押し出されて、シャフト３上にグリスｄが滴下され、プーリ摺動領域及びその周辺のダンパーやバネの摺動領域にグリスが万遍なく刷り込まれるため、シャッター２のシャフト３の摩耗を防止し、耐用年数をさらに延ばした高寿命なシャッター巻取繰出装置１を提供することができる。
【００２１】
次に、シャッター巻取繰出装置１の動作を説明する。
シャッター巻取繰出装置１においては、シャッター２は複数のスラット２ａ、２ａ・・を連結して構成されている。そして、シャッター２の巻き取り及び繰り出しのいずれかを行う際のシャフト３が設けられており、シャフト３の両端がブラケット１０によって床面に対して水平に支持されている。ブラケット１０は枠体１１に固定されており、枠体１１にはシャッターケース１２が取り付けられて、シャッター巻取繰出装置１の全体をカバーしている。
シャッター２を巻き取り・繰り出しする中心軸であるシャフト３の両端には、シャフト３に対して回転自在に設けられた複数のプーリ４、４が設けられている。これら少なくとも２つのプーリ４、４にリンク棒５が掛け渡されており、プーリの回動を互いに追随及び同期させるようになっている。また、プーリ４、４がシャフト３の軸方向へ摺動するのを阻止するようにシャフト３に固定されたストッパー６と、このストッパー６の移動を阻止するようにシャフト３に固定されているストッパーピン９とが設けられている。
【００２２】
シャフト３の両端には、一方のストッパー６と一方のプーリ４との間のシャフト３の周面上に、プーリ摺動領域３ａが設けられている。同様に、他方のストッパー６と他方のプーリ４との間のシャフト３の周面上にもプーリ摺動領域３ａが設けられている。
シャフト３には圧縮コイル式のバネ１３が伸縮自在に挿通されている。このバネ１３の一端はバネ端末固定具１３ａによってシャフト３に固定され、他端はプーリ４の端部に当接している。
また、プーリ４のバネ１３側とは反対側にダンパー８としてのバネが挿通されている。このダンパー８の一方はプーリ４に当接し、他方はストッパー６に当接している。つまり、プーリ４とストッパー６との間に有って、それらの間隔を維持するように付勢している。これによって、バネ１３が引き伸ばされてプーリ４がダンパー８側に摺動して来ると、それを押し戻すようにダンパー８が働く。
【００２３】
プーリ４には係止板１３が取り付けられている。この係止板１３はプーリ４の外周のほぼ４分の１を覆うように外周に沿って固定されている。この係止板１３は一端がボルト１３ａで固定されている。他端にはフック状のスラット係止爪（図略）が設けられ、スラットを吊り下げている。これによって、シャッター２の巻き取り、及び繰り出しと同期して係止板１３はプーリ４と一緒に正逆回転する。
【００２４】
また、プーリ４のバネ１３側には、グリスカップ１４が設けられている。このグリスカップ１４には潤滑用のグリスが適量に充填されており、プーリ４とシャフト３との回転部を潤滑している。そのため、グリスカップ１４の中心孔１４ｂがシャフト３に密着して挿通されている。グリスカップ１４はボルト１４ｃによって、プーリ４に固定されている。
また、図５の（ｃ）に示すように、シャッター巻取繰出装置１において、リンク棒５は、互いに摺動可能な内筒５ａと外筒５ｂを備え、長手方向へ伸縮可能に形成されたリンク棒５であり、内筒５ａと外筒５ｂとが互いに摺動するスライド機構を形成している。外筒５ｂにはグリス注入孔５ｃが設けられている。
このように、プーリ４、４間に掛け渡されたリンク棒５が、互いに摺動可能な内筒と外筒によるスライド機構を備えたことによって、リンク棒５の長手方向へ伸縮が可能となり、プーリ摺動領域を効果的にすることができる。
【００２５】
＜第２の実施形態＞
次に、本発明の第２の実施形態を図面を参照しながら詳細に説明する。
図３は、本発明の第２の実施形態に示すシャッター巻取繰出装置に係るリンク棒の概略図であり、（ａ）はリンク棒の概略断面図、（ｂ）は（ａ）に示すリンク棒の構造を詳細に示す拡大断面図である。
図４は、本発明の第２の実施形態に示すシャッター巻取繰出装置に係るプーリ、リンク棒及びその周辺を示す概略図であり、（ａ）は正面断面図、（ｂ）は（ａ）に示すＣ部の拡大断面図である。
本発明の第２の実施形態が第１の実施形態と異なる点はリンク棒の構造に関する点であり、第１の実施形態で用いた符号と同一符号に関してはその重複説明を省略する。
【００２６】
図３の（ａ）（ｂ）及び図４の（ａ）（ｂ）に示すように、シャッター繰出装置２１においては、リンク棒１５は、互いに摺動可能な内筒１５ａと外筒１５ｂを備え、リンク棒１５の長手方向へ伸縮可能に形成されている。リンク棒１５の両端には、端部１５ｃ、１５ｃに嵌設されたグリスキャップ１５ｆ、１５ｇが設けられている。そして、リンク棒１５が長手方向に伸縮するときに、リンク棒１５の内部の空気を押し出すポンプ構造１７が設けられている。このリンク棒１５が伸縮することでグリスキャップ１５ｆ、１５ｇからグリスｄが押し出されてシャフト３上にグリスｄが滴下される。
【００２７】
また、ポンプ構造１７は、外筒１５ｂの内部に固定されて外筒１５ｂの内部を長手方向に遮断して、リンク棒１５の中心軸ｂ上に第１の貫通孔１５ｂａaを有する円盤状部材１５ｂａと、外筒１５ｂの内部を長手方向に摺動する第１のピストン１５ａｄと、第１のピストン１５ａｄを、第１の貫通孔１５ｂａａを挿通して内筒１５ａの外筒１５ｂ側の閉鎖された端部１５ａｆに接続する第１の接続部材１５ａｃと、内筒１５ａの内部を長手方向に摺動する第２のピストン１５ｂｄと、第２のピストン１５ｂｄを内筒１５ａの外筒１５ｂ側の閉鎖された端部１５ａｆに設けられた第２の貫通孔１５ａａａを挿通して円盤状部材１５ｂａに接続する第２の接続部材１５ｂｃとを備えている。
【００２８】
これによれば、シャッター２の巻き取りや繰り出しを行う際に、リンク棒１５の両端部を覆って嵌められた交換自在なグリスキャップ１５ｆ、１５ｇと、リンク棒１５が長手方向に伸縮するときにリンク棒１５の内部の空気を押し出すポンプ構造とを備え、ポンプ構造１７が、第１の貫通孔を有する円盤状部材１５ｂａと、第１のピストン１５ａｄと、第１の接続部材１５ａｃと、第２のピストン１５ｂｄと、第２の接続部材１５ｂｃとを備えることによって、リンク棒１５が伸縮するとグリスキャップ１５ｆ、１５ｇからグリスｄが押し出されて、シャフト３上にグリスｄが滴下され、プーリ摺動領域及びその周辺のダンパーやバネの摺動領域にグリスが万遍なく刷り込まれるため、シャッター２のシャフト３の摩耗を防止し、耐用年数をさらに延ばした高寿命なシャッター巻取繰出装置２１を提供することができる。
【００２９】
以上、好ましい実施の形態を説明したが、本発明は前記実施の形態に限定されるものではなく、本発明の要旨を逸脱することの無い範囲内において適宜変更が可能なものである。例えば、リンク棒は１本設けて説明したが２本〜３本設けても良い。
【符号の説明】
【００３０】
１  シャッター巻取繰出装置
２  シャッター
２ａ  スラット
３  シャフト
３ａ  プーリ摺動領域
４  プーリ
４ａ  係止板
５  リンク棒
５ａ  内筒
５ａａ  小径部
５ａｂ  大径部
５ａｃ  支柱、接続部材
５ａｄ  ピストン
５ａｄａ  パッキン
５ａｅ  バネ
５ａｆ  端部
５ｂ  外筒
５ｂａ  円盤状部材
５ｂａａ  貫通孔（円盤状部材の中心に設けられた）
５ｂｂ  ピン（円盤状部材５ｂａの固定用）
５ｃ  端部
５ｆ  グリスキャップ
５ｆａ  グリス滴下孔
５ｇ  グリスキャップ
５ｇａ  グリス滴下孔
５ｈ  プーリ固定部
６  ストッパー（スラストベアリング付）
７  ポンプ構造
８  ダンパー
９  ストッパーピン
１０  ブラケット
１１  枠体
１２  シャッターケース
１３  バネ
１３ａ  バネ端末固定具
１４  グリスカップ
１４ａ  グリス
１５  リンク棒
１５ａ  内筒
１５ａａ  空気孔
１５ａａａ  第２の貫通孔
１５ａｃ  第１の接続部材
１５ａｄ  第１のピストン
１５ａｄａ  パッキン
１５ａｆ  端部
１５ｂ  外筒
１５ｂａ  円盤状部材
１５ｂａａ  第１の貫通孔
１５ｂｂ  ピン
１５ｂｃ  第２の接続部材
１５ｂｄ  第２のピストン
１５ｂｄａ  パッキン
１５ｂｅ  空気孔
１５ｃ  端部
１５ｆ  グリスキャップ
１５ｆａ  滴下孔
１５ｇ  グリスキャップ
１５ｇａ  滴下孔
１５ｈ  プーリ固定部
１７  ポンプ構造
２１  シャッター巻取繰出装置